(57)【特許請求の範囲】
【請求項１】
ディスク状記録媒体が装着されるトレイと、
該トレイを収容するカバーと、
前記トレイと前記カバーとの間に介在し、前記カバーの内部に収容された前記トレイをディスク装着位置にロックするロック機構と、
を有するディスク装置において、
前記ロック機構は、
前記トレイまたは前記カバーの何れか一方に設けられた軸と、
該軸により中央を回動可能に支持され、前記中央より一側に延在する一端に第１の係止部を有し、前記中央より他側に延在する他端に第２の係止部を有する係止部材と、
前記トレイまたは前記カバーの何れか他方に設けられ、前記係止部材の前記第１の係止部に係合する第１の係合部材と、
前記トレイまたは前記カバーの何れか他方に設けられ、前記係止部材の前記第２の係止部に係合する第２の係合部材と、を備え、
前記トレイが前記ディスク装着位置に収容されたときに、前記第１の係止部が前記第１の係合部材に係止されると共に、前記第２の係止部が前記第２の係合部材に係止されて、前記トレイを前記ディスク装着位置にロックし、
該ロックを解除するときは、前記第１の係止部が前記第１の係合部材から離間すると共に、前記第２の係止部が前記第２の係合部材から離間する方向に前記係止部材が回動することを特徴とするディスク装置。
【発明の詳細な説明】
【０００１】
【発明の属する技術分野】
本発明はディスク装置に係り、特にディスク状記録媒体が装着されるトレイを装着位置にロックするよう構成されたディスク装置に関する。
【０００２】
【従来の技術】
例えば、ノート型パーソナルコンピュータでは、ディスク状記録媒体（以下「ディスク」という）が装着されたトレイを摺動させて筐体内に収納させるように構成されたディスク装置が搭載されている。この種のディスク装置では、小型化、薄型化、軽量化が図られており、トレイを搬送する搬送機構が省略され、ガイドレール機構によって摺動可能にトレイを支持している。
【０００３】
そのため、ディスク装置では、筐体を構成するカバー内の所定装着位置にトレイが収納された状態でトレイが勝手に飛び出さないようにトレイをロックするロック機構が設けられている。
【０００４】
従来のロック機構としては、例えば、特開平７−２３５１１２号公報にみられるようなソレノイドを用いた構成のものがある。この公報に記載されたロック機構は、トレイの下面に設けられたロックピンと、フレームに回動自在に支持されロックピンを係止するロックアームと、ロックアームを係止方向に付勢する付勢部材と、ロックアームを係止解除方向に回動させるソレノイドから構成されている。
【０００５】
そして、トレイの前面ベゼルに設けられたイジェクトスイッチがオンに操作されると、上記ソレノイドが励磁されてロックアームが係止解除方向に回動してロックピンの係止を解除する。
【０００６】
【発明が解決しようとする課題】
しかしながら、上記のようにロックアームがロックピンを係止する構成とされたロック機構においては、ディスク装置の落下試験を行うと、装置の薄型化に伴ってロックアームやロックピンの強度が不足しており、落下試験によるトレイの衝撃荷重によりロックアームの破損やロックピンのカシメ部分の変形が生じることがあり、耐衝撃性の限界がロック機構によって決まるという問題があった。
【０００７】
そのため、ディスク装置においては、装置の小型化、薄型化、軽量化を損なわずにロック機構の強度を高めることが要望されていた。
【０００８】
そこで、本発明は上記課題を解決したディスク装置を提供することを目的とする。
【０００９】
【課題を解決するための手段】
本発明は上記課題を解決するため、以下のような特徴を有する。
本発明は、ディスク状記録媒体が装着されるトレイと、トレイを収容する筐体と、トレイとカバーとの間に介在し、カバーに収容されたトレイをディスク装着位置にロックするロック機構と、を有するディスク装置において、ロック機構は、前記トレイまたは前記カバーの何れか一方に設けられた軸と、該軸により中央を回動可能に支持され、前記中央より一側に延在する一端に第１の係止部を有し、前記中央より他側に延在する他端に第２の係止部を有する係止部材と、前記トレイまたは前記カバーの何れか他方に設けられ、前記係止部材の前記第１の係止部に係合する第１の係合部材と、前記トレイまたは前記カバーの何れか他方に設けられ、前記係止部材の前記第２の係止部に係合する第２の係合部材と、を備え、前記トレイが前記ディスク装着位置に収容されたときに、前記第１の係止部が前記第１の係合部材に係止されると共に、前記第２の係止部が前記第２の係合部材に係止されて、前記トレイを前記ディスク装着位置にロックし、該ロックを解除するときは、前記第１の係止部が前記第１の係合部材から離間すると共に、前記第２の係止部が前記第２の係合部材から離間する方向に前記係止部材が回動するものであり、係止部材の両端の第１、第２の係止部が第１、第２の係合部材により係止されるため、係止部材の重心に対して衝撃によって係止部材を回動させるような力が作用するのを防止でき、且つ衝撃荷重を分散させてロック機構の耐衝撃強度を高めることが可能になる。
【００１１】
【発明の実施の形態】
以下、図面と共に本発明の一実施例について説明する。
図１は本発明になるディスク装置の一実施例を示す斜視図である。図２はディスク装置の平面図である。図３はトレイ２０をディスク交換位置に引き出した状態を示す平面図である。
図１に示されるように、ディスク装置１１は、例えばＣＤ−ＲＯＭドライブ装置であり、上カバー（図示せず）と下カバー１６との間に形成された空間にターンテーブル１８を回転自在に支持するトレイ２０を有する。ターンテーブル１８は、中央にディスク２２の内周に嵌合してディスク２２をクランプするクランプ機構２３を有する。また、ターンテーブル１８の周囲には、ディスクの直径よりも大径なディスク収納部２４が形成されている。
【００１２】
そして、ディスク収納部２４の下方には、ターンテーブル１８のクランプ機構２３にクランプされたディスク２２に記録された情報を読み取るための光学ヘッド部を構成する光ピックアップ２６がディスク半径方向に移動可能に取り付けられている。
【００１３】
光ピックアップ２６は、ディスク収納部２４の凹部２４ａに収納されており、凹部２４ａは光ピックアップ２６の対物レンズ２７が移動する範囲に開口２８ａを有するピックアップカバー２８で覆われている。また、トレイ２０の前端に結合された前面ベゼル３０は、中央にイジェクト釦３２が設けられている。
【００１４】
ターンテーブル１８の下方に設けられたディスクモータ１９が回転駆動されてターンテーブル１８及びターンテーブル１８のクランプ機構２３にクランプされたディスク２２が回転する。
【００１５】
図３に示されるように、トレイ２０は両側に前後方向に摺動可能に取り付けられたガイドレール４０，４２を介して支持されており、前面ベゼル３０に設けられたイジェクト釦３２が押圧操作されると、トレイ２０のロックが解除され、ロック解除されたトレイ２０は手動操作により図３に示すようにＡ方向にスライドしてディスク交換位置に引き出される。また、ディスク交換位置に引き出されたトレイ２０のターンテーブル１８にディスク２２がクランプされた後、操作者は前面ベゼル３０をＢ方向に押圧操作することにより、トレイ２０がＢ方向に移動して図２に示すディスク装着位置でロックされる。
【００１６】
ここで、光ピックアップ２６をディスク半径方向に移動させるピックアップ駆動機構について説明する。
ピックアップ駆動機構３４は、図２及び図３において、光ピックアップ２６の移動方向を案内する一対のガイドシャフト３５，３６と、光ピックアップ２６を駆動する駆動モータ３７と、駆動モータ３７の回転駆動力を光ピックアップ２６に伝達する伝達機構３８とから構成されている。また、光ピックアップ２６の両側には、一対のガイドシャフト３５，３６に係合して移動方向をガイドされる軸受部２６ａ〜２６ｃが突出している。伝達機構３８は、駆動モータ３７の回転を減速するギヤ群３８ａと、ギヤ群３８ａを介して回転駆動されるリードスクリュウ３８ｂとからなる。そして、光ピックアップ２６は、リードスクリュウ３８ｂの螺旋溝に係合する係合部２６ｄを有する。
【００１７】
従って、駆動モータ３７の回転がギヤ群３８ａを介してリードスクリュウ３８ｂに伝達されることにより光ピックアップ２６がディスク半径方向に移動する。
【００１８】
上記のように構成されたトレイ２０の下面と下カバー１６との間には、図１及び図２に示す装着位置に収容されたトレイ２０をロックするためのロック機構５０が設けられている。このロック機構５０は、前面ベゼル３０の裏側に配置されており、イジェクト釦３２がオンに操作されると、ロック解除動作してトレイ２０の係止を解除する。
【００１９】
そして、装着位置に保持されたトレイ２０は、ロック機構５０によるロックが解除されると、トレイ押圧機構（図示せず）の押圧力により所定距離Ａ方向に押し出される。これにより、トレイ２０と共にＡ方向に移動した前面ベゼル３０が、下カバー１６の前端から離間する。そのため、操作者は、前面ベゼル３０を把持してＡ方向に摺動させてトレイ２０をディスク交換位置（図３を参照）へ引き出すことが可能になる。
【００２０】
ここで、本発明の要部を構成するロック機構５０について説明する。
図４はロック機構５０を拡大して示す平面図である。図５はロック機構５０を拡大して示す縦断面図である。
【００２１】
図４及び図５に示されるように、ロック機構５０は、ロックアーム５２と、ロックアーム５２を付勢するトーションバネ５４と、ロックアーム５２の一端を係止する第１のロックピン５６と、ロックアーム５２の他端を係止する第２のロックピン５８と、ロック解除を行うキックプレート６０と、キックプレート６０を付勢する第１のコイルバネ６２と、キックプレート６０を保持するソレノイド６４と、キックプレート６０を復帰させるための復帰レバー６６と、復帰レバー６６を付勢する第２のコイルバネ６８とから構成されている。
【００２２】
ロックアーム５２は、中央にトレイ２０の下面に突出する軸７０に嵌合する軸孔５２ａが貫通しており、ビス７２を軸７０のねじ孔７０ａに螺入させて脱落防止されると共に、軸７０に対して回動可能に支持される。また、ロックアーム５２は、軸孔５２ａよりＢ方向に延在し第１のロックピン５６に係止される第１の係止爪５２ｂと、軸孔５２ａよりＡ方向に延在し第２のロックピン５８に係止される第２の係止爪５２ｃとを有する。
【００２３】
また、軸孔５２ａを形成する円筒部５２ｄの外周には、トーションバネ５４が巻装されており、トーションバネ５４のばね力によりＣ方向に回動付勢されている。
【００２４】
キックプレート６０は、トレイ２０の下面に摺動可能に支持されており、コイルバネ６２のばね力によりＥ方向に付勢されている。また、キックプレート６０は、ロックアーム５２の第２の係止爪５２ｃの側面に設けられた被押圧部５２ｅに当接する当接部６０ａと、コイルバネ６２の一端が掛止されるばね掛止部６０ｂと、トレイ２０の下面に設けられたガイド突起７４が嵌合するガイド孔６０ｃと、復帰動作時に押圧される被押圧部６０ｄと、ソレノイド６４のプランジャ６４ａの係合孔６４ｂに係合する係合ピン６０ｅとを有する。
【００２５】
ソレノイド６４は、トレイ２０の下面に固着されており、プランジャ６４ａと、プランジャ６４ａが貫通するコイル６４ｆと、プランジャ６４ａを吸着するマグネット６４ｃとを有する。
【００２６】
図４に示されるように、ソレノイド６４のプランジャ６４ａがＦ方向側に位置している状態では、マグネット６４ｃがプランジャ６４ａをＦ方向に吸着する力は、コイルバネ６２がキックプレート６０をＥ方向に引っ張る力よりも大きい。従って、プランジャ６４ａは、Ｆ側位置に保持される。また、キックプレート６０は、係合ピン６０ｅがプランジャ６４ａの係合孔６４ｆに係合しているので、ロックアーム５２から離間した待機位置に保持されている。そして、イジェクト釦３２のオン操作によりソレノイド６４のコイル６４ｂが励磁されると、マグネット６４ｃの吸着力を打ち消す力がプランジャ６４ａに作用する。これにより、プランジャ６４ａは、キックプレート６０の係合ピン６０ｅに係合されているので、キックプレート６０と共にコイルバネ６２のばね力によりＥ方向に移動する。
【００２７】
復帰レバー６６は、トレイ２０の下面に突出する軸７６が嵌合する軸受部６６ａと、軸受部６６ａの外周より放射状に突出するピン当接部６６ｂと、キックプレート６０の被押圧部６０ｄを押圧する押圧部６６ｃと、コイルバネ６８の一端が掛止されるばね掛止部６６ｄとを有する。
【００２８】
従って、復帰レバー６６は、軸７６により回動可能に支持されており、且つコイルバネ６８のばね力により中立位置に付勢されている。また、中立位置に保持された復帰レバー６６は、ピン当接部６６ｂが第１のロックピン５６が通過する領域に位置するように突出させる。
【００２９】
そして、後述するようにトレイ２０の摺動動作により第１のロックピン５６が復帰レバー６６のピン当接部６６ｂに当接することで、復帰レバー６６をＧ方向へ回動させる。これにより、押圧部６６ｃがキックプレート６０の被押圧部６０ｄを復帰方向（Ｆ方向）に押圧する。
【００３０】
図５に示されるように、第２のロックピン５８は、第１のロックピン５６よりも突出高さが低く形成されている。また、ロックアーム５２は、第１の係止爪５２ｂが第１のロックピン５６に係止される高さ位置に延在形成され、第２の係止爪５２ｃが第２のロックピン５８に係止される低位置に延在形成されている。
【００３１】
そのため、第１の係止爪５２ｂは、第２のロックピン５８の突出高さよりも高い位置に支持されているので、第２のロックピン５８が通過する過程で第２のロックピン５８に接触しないようになっている。
【００３２】
ここで、上記のように構成されたロック機構５０のロック動作及びロック解除動作について説明する。
図６はロック機構５０がトレイ２０を装着位置にロックした状態を拡大して示す底面図である。図７はイジェクト操作によるロック機構５０のロック解除状態を拡大して示す底面図である。図８はトレイ２０を装着位置に戻す過程のロック機構５０の動作を拡大して示す底面図である。
【００３３】
図６に示されるように、ロック機構５０のロックアーム５２は、第１の係止爪５２ｂが第１のロックピン５６に係止され、且つ第２の係止爪５２ｃが第２のロックピン５８に係止されている。このように、ロックアーム５２は、両端の係止爪５２ｂ，５２ｃがロックピン５６，５８に係止されているので、落下試験によるトレイイジェクト方向の衝撃荷重が２つのロックピン５６，５８に分散されることになる。
【００３４】
その結果、ディスク装置１１は、外部からの衝撃によるロックアーム５２及びロックピン５６，５８の変形や破損が防止され、耐衝撃強度が向上する。従って、ディスク装置１１は、薄型化及び小型化、軽量化を損なうことなく、ロック機構５０の耐衝撃強度が高められることで耐衝撃性能が向上し、落下試験に対する信頼性が向上する。
【００３５】
図７に示されるように、前面ベゼル３０に設けられたイジェクト釦３２がオンに操作されると、ソレノイド６４のコイル６４ｂが一瞬励磁され、マグネット６４ｃがプランジャ６４ａを吸着させる力が打ち消される。そのため、キックプレート６０の係合ピン６０ｅに係合されたプランジャ６４ａは、キックプレート６０と共にコイルバネ６２のばね力によりＥ方向に移動する。
【００３６】
その結果、キックプレート６０は、当接部６０ａがロックアーム５２の被押圧部５２ｅに当接する。これにより、ロックアーム５２は、Ｄ方向に回動して両端の係止爪５２ｂ，５２ｃがロックピン５６，５８から離間する。よって、ロックアーム５２は、ロックピン５６，５８による係止が解除される。
【００３７】
尚、プランジャ６４ａがＥ方向に移動した後、ソレノイド６４への通電が停止されるが、この状態（図７に示す状態）では、マグネット６４ｃがプランジャ６４ａの離間距離が大きいので、マグネット６４ｃがプランジャ６４ａをＦ方向に吸着する力は、コイルバネ６２がキックプレート６０をＥ方向に引っ張る力よりも十分に小さい。従って、ソレノイド６４への通電が停止された後も、プランジャ６４ａ及びキックプレート６０は、Ｅ方向側の位置に保持される。
【００３８】
このロック解除動作によりトレイ２０は、イジェクト用押圧機構（図示せず）によりイジェクト方向（Ａ方向）に所定距離押し出される。この後は、操作者が手動で前面ベゼル３０を把持してトレイ２０をＡ方向に引き出す。このようにしてトレイ２０は、左右両側をガイドレール４０，４２にガイドされてディスク交換位置（図３参照）に摺動する。
【００３９】
図８に示されるように、トレイ２０をディスク交換位置からディスク装着位置（図１及び図２参照）に戻す際は、操作者が手動で前面ベゼル３０をＢ方向に押圧する。これにより、トレイ２０は、左右両側をガイドレール４０，４２にガイドされながら上カバー（図示せず）及び下カバー１６により形成されたケース内部に収容される。
【００４０】
その際、トレイ２０がディスク装着位置に至る直前に、第１のロックピン５６が復帰レバー６６のピン当接部６６ｂに当接する。そのため、復帰レバー６６は、コイルバネ６８のばね力に抗してＧ方向に回動し、押圧部６６ｃがキックプレート６０の被押圧部６０ｄを復帰方向（Ｆ方向）に押圧する。これにより、キックプレート６０は、ロックアーム５２から離間する。そして、キックプレート６０に結合されたプランジャ６４ａは、ソレノイド６４のマグネット６４ｂに吸着される。
【００４１】
また、ロックアーム５２は、キックプレート６０による押圧が解除されると共に、トーションバネ５４のばね力によりＣ方向に回動してロック解除位置（図７を参照）からロック位置（図８を参照）に復帰する。さらに、トレイ２０がＢ方向に移動することにより、ロックピン５６，５８がロックアーム５２に対してＡ方向に移動することになる。
【００４２】
第２のロックピン５８は、第１のロックピン５６よりも突出高さが低く形成されているため、ロックアーム５２の第１の係止爪５２ｂに掛止されずにロックアーム５２の下方を通過する。そして、第１の係止爪５２ｂの傾斜部５２fが第１のロックピン５６に当接すると、第１の係止爪５２ｂが第１のロックピン５６に押圧されてロックアーム５２がＤ方向に回動する。このように、ロックアーム５２は、第１のロックピン５６に押圧されて回動することで、第１のロックピン５６を係止位置に迎える。
【００４３】
さらに、トレイ２０がＢ方向に移動して第１の係止爪５２ｂの傾斜部５２fが第１のロックピン５６を通過し終わると、ロックアーム５２は、トーションバネ５４のばね力によりＣ方向に回動して第１の係止爪５２ｂが第１のロックピン５６に係合し、同時に第２の係止爪５２ｃが第２のロックピン５８に係合する。
【００４４】
そのため、ロックアーム５２の両端に設けられた係止爪５２ｂ，５２ｃは、ロックピン５６，５８に係止される。これで、トレイ２０は、ロックアーム５２と一対のロックピン５６，５８との係止動作によりディスク装着位置に強固にロックされる。
【００４５】
このように、ロックアーム５２は、中央に回動中心を設け、一端に第１のロックピン５６に係止される第１の係止爪５２ｂを設け、他端に第２のロックピン５８に係止される第２の係止爪５２ｃを設けたので、大型化することを抑えつつ両端の２箇所でロックすることができる。
【００４６】
また、ロックアーム５２の回動中心とロックアーム５２の重心を略一致させた構成により、ディスク装置１１の横方向（Ｅ方向またはＦ方向）の外部衝撃荷重が印加された場合にロックアーム５２が回動してトレイ２０のロックが解除されることを防止している。
【００４７】
よって、外部からの衝撃がディスク装置１１に入力されても、上記ロック機構５０のロックによりトレイ２０が飛び出すことが確実に防止される。
【００４８】
尚、上記実施例では、ＣＤ−ＲＯＭが装着されるディスク装置を一例として挙げたが、これに限らず、他のディスク状記録媒体（例えば、ＣＤ−Ｒ，ＣＤ−ＲＷ，ＤＶＤ−ＲＯＭ，ＤＶＤ−Ｒ，ＤＶＤ−ＲＷ，ＤＶＤ−ＲＡＭ、光磁気ディスクなど）が装着されるディスク装置にも適用できるのは勿論である。
【００４９】
【発明の効果】
上述の如く、本発明によれば、ディスク状記録媒体が装着されるトレイと、トレイを収容する筐体と、トレイとカバーとの間に介在し、カバーに収容されたトレイをディスク装着位置にロックするロック機構と、を有するディスク装置において、ロック機構は、前記トレイまたは前記カバーの何れか一方に設けられた軸と、該軸により中央を回動可能に支持され、前記中央より一側に延在する一端に第１の係止部を有し、前記中央より他側に延在する他端に第２の係止部を有する係止部材と、前記トレイまたは前記カバーの何れか他方に設けられ、前記係止部材の前記第１の係止部に係合する第１の係合部材と、前記トレイまたは前記カバーの何れか他方に設けられ、前記係止部材の前記第２の係止部に係合する第２の係合部材と、を備え、前記トレイが前記ディスク装着位置に収容されたときに、前記第１の係止部が前記第１の係合部材に係止されると共に、前記第２の係止部が前記第２の係合部材に係止されて、前記トレイを前記ディスク装着位置にロックし、該ロックを解除するときは、前記第１の係止部が前記第１の係合部材から離間すると共に、前記第２の係止部が前記第２の係合部材から離間する方向に前記係止部材が回動するものであり、係止部材の両端の第１、第２の係止部が第１、第２の係合部材により係止されるため、係止部材の重心に対して衝撃によって係止部材を回動させるような力が作用するのを防止でき、且つ衝撃荷重を分散させてロック機構の耐衝撃強度を高めることができる。その結果、ディスク装置の薄型化及び小型化、軽量化を損なうことなく、ロック機構の耐衝撃強度が高められることでディスク装置の耐衝撃性能が向上し、外部からの衝撃によりトレイが飛び出すことを防止でき、落下試験に対する信頼性が向上する。
【図面の簡単な説明】
【図１】本発明になるディスク装置の一実施例を示す斜視図である。
【図２】ディスク装置の平面図である。
【図３】トレイ２０をディスク交換位置に引き出した状態を示す平面図である。
【図４】ロック機構５０を拡大して示す平面図である。
【図５】ロック機構５０を拡大して示す縦断面図である。
【図６】ロック機構５０がトレイ２０を装着位置にロックした状態を拡大して示す底面図である。
【図７】イジェクト操作によるロック機構５０のロック解除状態を拡大して示す底面図である。
【図８】トレイ２０を装着位置に戻す過程のロック機構５０の動作を拡大して示す底面図である。
【符号の説明】
１１  ディスク装置
１６  下カバー
１８  ターンテーブル
２０  トレイ
２２  ディスク
２４  ディスク収納部
２６  光ピックアップ
２８  ピックアップカバー
３０  前面ベゼル
３２  イジェクト釦
３４  ピックアップ駆動機構
４０，４２  ガイドレール
５０  ロック機構
５２  ロックアーム
５２ｂ  第１の係止爪
５２ｃ  第２の係止爪
５４  トーションバネ
５６  第１のロックピン
５８  第２のロックピン
６０  キックプレート
６２  第１のコイルバネ
６４  ソレノイド
６４ａ  プランジャ
６４ｂ  コイル
６４ｃ  マグネット
６６  復帰レバー
６８  第２のコイルバネ
７０  軸
【図１】
0003864816.tif 000002
【図２】
0003864816.tif 000003
【図３】
0003864816.tif 000004
【図４】
0003864816.tif 000005
【図５】
0003864816.tif 000006
【図６】
0003864816.tif 000007
【図７】
0003864816.tif 000008
【図８】
0003864816.tif 000009